(57)【要約】【課題】低背化の要求を満たし、端子との確実な接触を確保できる扁平導体用コネクタを得る。【解決手段】複数の溝３ａ，３ｂ，３ｃを設けたハウジング２と、ハウジング２に対して回動可能に支持される押圧部材８と、この押圧部材の後端部に連結され、その全幅にわたり設けた支軸７と、ハウジング２の溝３ａに収納した接触子の一部が支軸７の上方を受ける軸受け部とを、備える。これによって、扁平導体端子との確実な接触を確保できるとともに、接触子４の一部が支軸７の上方を受けることにより低背化が可能となる。【選択図】　　　　図７
2004095421.tif 000002
【特許請求の範囲】
【請求項１】
複数の溝を設けたハウジングと、
該ハウジングに対して回動可能に支持される押圧部材と、
該押圧部材の後端部に連結され、その全幅にわたり設けた支軸と、
前記溝に収納した接触子の一部が該支軸の上方を受ける軸受け部と、
を具備したことを特徴とする扁平導体用コネクタ。
【請求項２】
前記押圧部材と前記支軸を複数の連結部で連結したことを特徴とする請求項１に記載の扁平導体用コネクタ。
【請求項３】
前記ハウジングの後部に複数個の角柱状の支承ボスを設け、該支承ボスの上部に設けた貫通孔に前記接触子の一部を挿通し、
下方に設けた貫通孔に接触子を差込み固定したことを特徴とする請求項１又は２に記載の扁平導体用コネクタ。
【請求項４】
前記複数個の支承ボスの間に設けた溝に第２の接触子を収納したことを特徴とする請求項３に記載した扁平導体用コネクタ。
【請求項５】
前記第１の接触子と前記第２の接触子の間に対向した方向から第３の接触子を配置したことを特徴とする請求項４に記載した扁平導体用コネクタ。
【請求項６】
ハウジングの両側に設けた側辺部に半円形の係止部を設け、該係止部に扁平導体の左右端部に設けた切欠を係合させることを特徴とする請求項１乃至５のいずれか１項に記載の扁平導体用コネクタ。
【発明の詳細な説明】
【０００１】
【発明の属する技術分野】
この発明は、フレクシブルフラットケーブル（ＦＦＣ）、フレクシブルプリント基板（ＦＰＣ）等の扁平導体をプリント基板に接続するための扁平導体用コネクタに関する。
【０００２】
【従来の技術】
従来は、この種の扁平導体用コネクタには、例えば実用新案登録第２５８００７４号に開示されたように、加圧部材を備え加圧部材と接触子の挟持によって扁平導体の抜けを防止するタイプのもの、また、実用新案登録第２５１２５３１号に開示されているように、扁平導体の先端両側に凹部を設け、それに係止する係止突起をコネクタ側に設けて扁平導体が抜け出すのを防止するとともに接続子の弾性で扁平導体を挟み込むタイプのものがある。
【０００３】
【発明が解決しようとする課題】
しかしながら、いずれのタイプのものも、最近の機器の小型化に伴うコネクタの低背化の要求を満たし、端子との確実な接触を確保することは極めて難しかった。そこで、本発明は、低背化の要求を満たし、扁平導体端子との確実な接触を確保できる扁平導体用コネクタを提供することを課題とする。
【０００４】
【課題を解決するための手段】
上記の目的を達成するため、複数の溝を設けたハウジングと、該ハウジングに対して回動可能に支持される押圧部材と、該押圧部材の後端部に連結され、その全幅にわたり設けた支軸と、前記溝に収納した接触子の一部が該支軸の上方を受ける軸受け部とを、具備する扁平導体用コネクタとする。これによって、扁平導体の押圧手段を備え、端子との確実な接触を確保できるとともに、接触子の一部が該支軸の上方を受けることにより低背化が可能となる。
【０００５】
また、前記押圧部材と前記支軸を複数の連結部で連結するものとすれば、連結部の間を縫って接触子の一部が支軸の上方を受けることによって、押圧部材を確実にガイドできまた端子との確実な接触を確保できる。
【０００６】
また、前記ハウジングの後部に複数個の角柱状の支承ボスを設け、該支承ボスの上部に設けた貫通孔に前記接触子の一部を挿通し、下方に設けた貫通孔に接触子を差込み固定するものとすれば、支軸の上方を受ける接触子の一部が支軸を確実に保持できる。
【０００７】
また、前記複数個の支承ボスの間に設けた溝に第２の接触子を収納するものとすれば、狭ピッチの扁平導体用コネクタとすることができる。
【０００８】
また、前記第１の接触子と前記第２の接触子との間に対向した方向から第３の接触子を配置するものとすれば、さらに狭ピッチの扁平導体用コネクタとすることができる。
【０００９】
また、ハウジングの両側に設けた側辺部に半円形の係止部を設け、該係止部に扁平導体の左右端部に設けた切欠を係合させることとすれば、扁平導体の抜け止めを確実とできる。
【００１０】
【発明の実施の形態】
以下本発明の実施の形態を図示例と共に説明する。
【００１１】
図１乃至１４は、本発明による一実施の形態として扁平導体用コネクタに関するものである。図１は、の押圧部材を開いた状態を示す扁平導体用コネクタの斜視図である。図２は、図１の扁平導体用コネクタの押圧部材を閉じた状態における斜視図である。図３は、図１の扁平導体用コネクタに扁平導体を入れ込む状態を説明する斜視図である。図４は、図１の扁平導体用コネクタに扁平導体を入れ閉じた状態を示す斜視図である。図５は、図１の扁平導体用コネクタの押圧部材とその支軸、単体の斜視図である。図６は、図１の扁平導体用コネクタのハウジング単体の斜視図である。図７は、図１の第１の接触子に沿ったＡ−Ａ線断面図である。図８は、図１の第３の接触子に沿ったＢ−Ｂ線断面図である。図９は、図１の扁平導体用コネクタの後部拡大斜視図である。図１０は、図１の扁平導体用コネクタに用いる第１の接触子の斜視図である。図１１は、図１の扁平導体用コネクタに用いる第２の接触子の斜視図である。図１２は、図１の扁平導体用コネクタに用いる第３の接触子の斜視図である。図１３は、図１の扁平導体用コネクタに用いられる扁平導体の部分平面図である。図１４は、主基板の一部に図１の扁平導体用コネクタを使用した場合の説明図である。
【００１２】
図１において、扁平導体用コネクタ１は扁平な合成樹脂製のハウジング２にそれぞれ多数の溝３ａ、３ｂ、３ｃを設け、交互に設けた溝３ａと３ｂにおいて、溝３ａに第１の接触子４を、溝３ｂに第２の接触子５を収納し、溝３ａと３ｂと対向して設けた溝３ｃに第３の接触子６が収納してある。そしてハウジング２に支軸７を中心にして開いた位置（図１）と閉じた位置（図２）の間を回動するようにした蓋状の合成樹脂製の押圧部材８を備える。
【００１３】
図５に示すように、押圧部材８の後端部には複数の連結部９により連結した支軸７を設け、連結部９の間には開口１０が設けてある。前端部の左右両端には下方に向いた係止片１１ａ、１１ｂを設け、左右端部にはここでは半円弧状の切欠部１２ａ、１２ｂを設ける。図１及び図６で、ハウジング２の左右両端部には弾性を有して左右に可動な側辺部１３ａ、１３ｂを設け、それぞれの中程に半円筒部の位置決め部１４ａ、１４ａとその頭部に抜け止め部１４ｂ、１４ｂを設ける。さらにその先端部には被係止片１５ａ、１５ｂを設ける。
【００１４】
そしてハウジング２の後方内部には角柱状の支承ボス１６が一定の間隔をおいて複数個設けてある。支承ボス１６には上方と下方にそれぞれ貫通孔１６ａ、１６ｂが設けてある。支承ボス１６の間には溝３ｂが配設されている。ハウジング２は後壁２ａを備え、支承ボス１６との間で支軸７を収納できる隙間が形成されている。（図７、図９参照）
【００１５】
第１の接触子４は金属製であり、図１０に示すように、フォーク形状に板金を打ち抜き形成し、中央に長く延びた接触片４ａ、上部に軸受片４ｂ、下方に差込片４ｃ、後方にテール片４ｄを備える。接触片４ａの先端部には接触突部４ｅが設けてある。図７に示すように、第１の接触端子４の接触片４ａをハウジング２の溝３ａに収納し、軸受片４ｂを支承ボス１６の貫通孔１６ａに挿通し、差込片４ｃを貫通孔１６ｂに差し込むと押圧部材８の支軸７を支承ボス１６と後壁２ａ、軸受片４ｂが囲み軸受けを構成する。この軸受けはコネクタの全幅方向に渡って構成されている。押圧部材８が受ける上方への反力は剛性の高い金属製の各第１の接触子軸受け片４ｂで受け止めることができる。
【００１６】
支承ボス１６の間には溝３ｂを設け、そこに第２の接触子５を収納してある。第２の接触子５は、図１１に示すごとく、接触片５ａ、差込片５ｂ、テール片５ｄ、さらに接触片５ａ先端には接触突部５ｃを備え、差込片５ｂを図示していない孔に差し込み固定する。ハウジング２の前端部には溝３ａ、３ｂとの間に対向する位置に溝３ｃを設け、そこに第３の接触子６を収納してある。第３の接触子６は図１２に示すごとく接触片６ａ、差込片６ｃ、テール片６ｄを備え、差込片６ｃを孔２ｂに差込固定する。接触片６ａの先端には接触突部６ｂが設けられる。
【００１７】
本発明のコネクタには特に図１３に示すような扁平導体１７が用いられる。即ち先端に電極１７ａ、１７ｂが千鳥状に交互に配列され、狭ピッチ化に有利な構成となっており、又左右には半円形状の切欠１７ｃ、１７ｄが設けられている。
【００１８】
この構成によって、フレクシブル基板等の扁平導体１７を図３に示すごとくコネクタ１の押圧部材８を開放した状態で上から落としていくと、扁平導体１７の左右に設けた切欠１７ｃ、１７ｄが側片部１３ａ、１３ｂの抜け止め部１４ｂ、１４ｂを乗り越えて半円形の位置決め部１４ａ、１４ａに嵌り込む。そして押圧部材８を閉じていくと押圧部材８の両側端に設けた係止片１１ａ、１１ｂがハウジング２の両側面に設けた被係止片１５ａ、１５ｂに係止していくにつれて位置決め部１４ａ、１４ａを左右から扁平導体の切欠１７ｃ、１７ｄに押し込むことにより、扁平導体１７が所定位置に位置決めされる。
【００１９】
その結果狭ピッチの扁平導体１７とコネクタの各接触子４、５、６との位置あわせが正確に達成できる。
【００２０】
また押圧部材８を閉じていくにつれて各接触子４、５、６の反力を受けて上方に膨らむように作用するが、押圧部材の後端部には全幅に亘って支軸が備えられていて、この反力を金属製の接触子４がさらに受け止めるので低背化に適したコネクタが得られる。
【００２１】
図１４に、主基板の一部に、本発明による図１の実施の形態に示した扁平導体用コネクタを使用した場合の例を示す。主基板２１には、表面側に液晶パネル２２が取り付けられ、裏面側には本発明によるＦＰＣ用コネクタ２３が、取り付けられている。液晶パネル２２から伸びるＦＰＣは、主基板２１の反対面から引き回し、コネクタ２３の受け口に上からＦＰＣ端部を落とす方法で接続できる。スロット口にＦＰＣを差し込む方式のコネクタに比べ作業が容易である。
【００２２】
上記の実施の形態における扁平導体用コネクタは、低背化した場合にも押圧部材が受ける上部反力を充分受け止めることができるものであり、又狭ピッチ化した扁平導体の電極と接触子の位置ズレを生じない。
【００２３】
【発明の効果】
以上説明したように、本発明の扁平導体用コネクタによれば、扁平導体の押圧手段を備え、扁平導体端子との確実な接触を確保できるとともに、接触子の一部が該支軸の上方を受けることにより低背化が可能となる。
【図面の簡単な説明】
【図１】本発明による一実施の形態としての押圧部材を開いた状態を示す扁平導体用コネクタの斜視図である。
【図２】図１の扁平導体用コネクタの押圧部材を閉じた状態における斜視図である。
【図３】図１の扁平導体用コネクタに扁平導体を入れ込む状態を説明する斜視図である。
【図４】図１の扁平導体用コネクタに扁平導体を入れ閉じた状態を示す斜視図である。
【図５】図１の扁平導体用コネクタの押圧部材とその支軸、単体の斜視図である。
【図６】図１の扁平導体用コネクタのハウジング単体の斜視図である。
【図７】図１の第１の接触子に沿ったＡ−Ａ線断面図である。
【図８】図１の第３の接触子に沿ったＢ−Ｂ線断面図である。
【図９】図１の扁平導体用コネクタの後部拡大斜視図である。
【図１０】図１の扁平導体用コネクタに用いる第１の接触子の斜視図である。
【図１１】図１の扁平導体用コネクタに用いる第２の接触子の斜視図である。
【図１２】図１の扁平導体用コネクタに用いる第３の接触子の斜視図である。
【図１３】図１の扁平導体用コネクタに用いられる扁平導体の部分平面図である。
【図１４】主基板の一部に図１の扁平導体用コネクタを使用した場合の説明図である。
【符号の説明】
１　扁平導体用コネクタ、２　ハウジング、３ａ、３ｂ、３ｃ　溝、４　第１の接触子、４ａ　接触片、４ｂ　軸受片、４ｃ　差込片、４ｄ　テール片、４ｅ接触突部、５　第２の接触子、５ａ　接触片、５ｂ　差込片、５ｃ　接触突部、５ｄ　テール片、６　第３の接触子、６ａ　接触片、６ｂ　接触突部、６ｃ　差込片、６ｄ　テール片、７　支軸、８　押圧部材、８ａ　切欠部、９　連結部、１０　開口、１１ａ，１１ｂ　係止片、１２ａ，１２ｂ　切欠部、１３ａ，１３ｂ　側片部、１４ａ　位置決め部、１４ｂ　抜け止め部、１５ａ，１５ｂ　被係止片、１６　支承ボス、１６ａ，１６ｂ　貫通孔、１７　扁平導体、１７ａ，１７ｂ　電極、１７ｃ，１７ｄ　切欠、２１　主基板、　２２　液晶パネル、２３　ＦＰＣ用コネクタ。
【図１】
2004095421.tif 000003
【図２】
2004095421.tif 000004
【図３】
2004095421.tif 000005
【図４】
2004095421.tif 000006
【図５】
2004095421.tif 000007
【図６】
2004095421.tif 000008
【図７】
2004095421.tif 000009
【図８】
2004095421.tif 000010
【図９】
2004095421.tif 000011
【図１０】
2004095421.tif 000012
【図１１】
2004095421.tif 000013
【図１２】
2004095421.tif 000014
【図１３】
2004095421.tif 000015
【図１４】
2004095421.tif 000016